【事件の表示】
　平成　５年特許願第２９１２２６号「弾球遊技機の外枠」拒絶査定不服審判事件〔平成　７年　５月　９日出願公開、特開平　７−１１６３２１〕について、次のとおり審決する。
【結　論】
　本件審判の請求は、成り立たない。
【理　由】
【１】手続の経緯・本願発明
　本願は平成５年１０月２６日の出願であって、平成１４年１０月１８日付けで拒絶査定がなされ、これに対し、同年１１月２１日に拒絶査定に対する審判請求がなされるとともに同年１２月１９日付けで手続補正がなされたものであり、その請求項１に係る発明は、平成１４年１２月１９日付け手続補正書により補正された明細書及び図面の記載からみて、その特許請求の範囲の請求項１に記載された以下のとおりのものと認める。
　「【請求項１】外枠（１）と、該外枠（１）の前側に開閉自在に枢着され且つ略中央部に窓孔（４）が設けられた前枠（２）と、前記窓孔（４）に対応して該前枠（２）に着脱自在に装着された遊技盤（７）とを備え、前記外枠（１）は板状の上枠部（３８）と下枠部（３９）と左右一対の側枠部（４０）（４１）とを備え、前記一対の側枠部（４０）（４１）の下端部間の前面側に、該一対の側枠部（４０）（４１）及び前記下枠部（３９）と一体に前下枠部（４２）を備えた弾球遊技機において、古紙小片（６２）と接着剤（５０）とを混合して、前記上枠部（３８）、前記下枠部（３９）、前記各側枠部（４０）（４１）及び前記前下枠部（４２）を一体に金型成形し、前記前下枠部（４２）の前面に化粧シート（４６）を貼着したことを特徴とする弾球遊技機の外枠。」（以下、「本願発明」という。）
　　　　　　
　　　　　　
【２】刊行物に記載された発明
〔１〕これに対して、原査定における平成１４年８月２日付けで通知した拒絶理由に引用し、本願出願前に日本国内において頒布された刊行物である特開昭６０−５１８３号公報（以下、「刊行物１」という。）には、パチンコ機の外枠に関して、以下の事項が図面とともに記載されている。
（ア）「（１）合成樹脂の一体成型により成型した・・・パチンコ機の外枠。・・・（３）前記外枠表面の少なくとも一部に、熱硬化性樹脂板を接合した・・・パチンコ機の外枠。」（特許請求の範囲）
（イ）「発明の背景　パチンコ機の外枠は、遊技盤，機構板，操作ハンドル等が取付けられたパチンコ機の前枠を保持するものである。このようなパチンコ機の外枠は、従来一般的にはベニヤ合板やラワン材等の木材により製造されてきた。木材が、加工容易なこと、化粧性に優れていること、吸音効果が比較的良いこと等の理由による。ところが、近年木材資源の枯渇によって必要な木材材料の入手が困難になりつつあり、材料費も急騰している。この発明は、このような状況のもとになされたものである。」（１頁左欄１８行〜同頁右欄９行）
（ウ）「第１図は、この発明の対象を含むパチンコ機の外観斜視図である。図において、パチンコ機１は、外枠２と前枠３とを含む。外枠２は蝶番３５を介して前枠３を保持する。それゆえ前枠３は、正面から見てその左上下に取付けられた蝶番３５を中心に、外枠２に対して回動（開閉）可能である。なお、第１図において、３１は金枠、３２はガラス扉枠、３３は玉受皿、３４は操作ハンドル、３６は前面板、３７は賞品球払出口、３８は打球供給皿であり、すべて前枠３に取付けられている。第２図は、この発明の一実施例の斜視図である。図示のように、パチンコ機１の外枠２は、たとえば正面長方形枠で額縁状の形状である。正面から見て、外枠２の左上部には、前枠３に取付けられた蝶番（第１図）を支えるための支持金（図示せず）を取付けるためにその肉厚が薄い部分２１が形成されている。また、右側の内側前面には、溝部２２が形成されている。・・・この実施例の第１の特徴は、上述のような形状のパチンコ機の外枠２を合成樹脂の一体成型により成型したことである。すなわち、このような形状の外枠を成型するための金型を用意し、その金型内に合成樹脂材料を射出して成型したことである。そして、その効果としては、製造工程の簡略化に加えて、量産性が向上することになる。より詳しく言えば、従来の木材で外枠２を作る場合、たとえば枠２の上下左右を構成する木材を用意し、それらをたとえば釘等で止めて形成していた。これに対し、この実施例では、合成樹脂の一体成型で作るので、一度に成型でき、製造工程が非常に簡略化できる。また、一体成型は金型を用いて行なうので、同一形状，同一寸法の外枠２が成型でき、寸法精度の向上が図れるのである。さらにまた、成型時に用いる金型を、外枠２の特有の形状、たとえば肉薄部２１や溝部２２が形成される形状としておけば、外枠２が成型された後、肉薄部２１や溝部２２を形成するための加工が不要となる。」（２頁左上欄１行〜同頁左下欄１行）
（エ）「なお、第２図に示すように、この一実施例の外枠２の下部前面２３には、熱硬化性の樹脂板、たとえばメラミンで形成された薄板２４を接合することが好ましい。このように、外枠２に前枠３等が嵌め込まれ、パチンコ機となったときに、外枠２の外部から簡単に触れることのできる面２３に熱硬化性の樹脂板２４を接合しておけば、たとえば遊技者が誤ってタバコの火などをこの外枠前面に接触した場合に、外枠２が当該火等の熱によって変色や変形を生じることを防止でき、美しい外観を維持することができる。なお、熱硬化性の樹脂板２４に代えて、たとえばアルミ板をここに接合してもよい。外枠前面２３と熱硬化性樹脂板２４またはアルミ板との接合は、接着剤や止めねじ等によって簡単に行なうことができる。なお、接着剤で接合する場合には、外枠２の前面２３を加熱した後接着剤を塗布し、熱硬化性樹脂板２４等を接合することが好ましい。加熱により前面２３と樹脂板２４等との接着力の強化が図れるからである。」（２頁右下欄５行〜３頁左上欄４行）
（オ）そして、第１，２図の記載並びに上記（ウ）の「パチンコ機１の外枠２は、たとえば正面長方形枠で額縁状の形状である」及び「上述のような形状のパチンコ機の外枠２を合成樹脂の一体成型により成型した」との記載を参照するとともに、外枠が板状の上枠（横枠・天板等ともいう。）、下枠（底枠（板）・地板等ともいう。）、左右の側枠（縦枠・側板等ともいう。）及び前下枠（前飾板・幕板等ともいう。）により形成されることが技術常識であること（特開平４−４０９８４号公報，実願昭６１−１５３１０９号（実開昭６３−５９６８４号）のマイクロフィルム，実願昭５３−１６６４９４号（実開昭５５−８１３８２号）のマイクロフィルム等を参照。）を考慮すると、上記「外枠２」が、板状の上枠部と下枠部と左右一対の側枠部とを備え、各側枠部の下端部間の前面側に各側枠部及び下枠部と一体に前下枠部（これの前面が外枠２の下部前面２３である。）を備えていることは自明である。
　これら（ア）〜（オ）の記載等を含む刊行物１全体の記載及び図面の記載並びに当業者の技術常識によれば、刊行物１には、以下の発明が記載されているものと認められる。
　「外枠２と、該外枠２に正面から見てその左上下に取付けられた蝶番３５を中心に外枠２に対して回動（開閉）可能に保持された前枠３と、該前枠３に取付けられた遊技盤とを備え、前記外枠２は板状の上枠部と下枠部と左右一対の側枠部とを備え、前記一対の側枠部の下端部間の前面側に、該一対の側枠部及び前記下枠部と一体に前下枠部を備えたパチンコ機１において、前記上枠部、前記下枠部、前記各側枠部及び前記前下枠部を金型内に合成樹脂材料を射出することにより一体成型し、外枠２の下部前面２３に外枠２の美しい外観を維持するための熱硬化性樹脂板２４を貼着したパチンコ機１の外枠２。」（以下、「刊行物１記載の発明」という。）
　　　
〔２〕同じく、特開昭５３−７１９４１号公報（以下、「刊行物２」という。）には、パチンコ機用遊技盤の製造方法に関して、以下の事項が図面とともに記載されている。
（ア）「パルプ等を溶解して得た木質繊維に接着剤を混入して成形した後加熱圧縮した後さらに調湿処理を施してなる繊維質板を所望形状に形成した・・・パチンコ機用遊技盤の製造方法。」（特許請求の範囲）
（イ）「本発明は・・・、繊維長の揃った木質繊維に接着剤を混入し、高圧プレス成形した比較的低比重の繊維質板を用いて遊技盤に形成したものであり、」（１頁左欄２０行〜同頁右欄３行）
（ウ）「以下に本発明の製造方法を実施例に基き詳細に説明すると、前記繊維質板は第１図に示す工程により製造する。即ち、パルプは・・・、開繊機を通して開繊して繊維状にする。・・・開繊機から排出した繊維は風送してフラッシュドライヤ−に入れ乾燥する。繊維は特殊分級機により微細繊維を分離してからフィーダに入れ、さらにフエルターにより吹雪状に降らせて・・・マットを形成する。そして次工程への搬送を容易にするためにプレスロ−ルで予備圧縮した後、所定の長さ及び幅に切断する。切断を終えたマットは搬送装置より自動的に当板上に乗せられ、自動押入装置により一枚ずつ連続的にプレス機に送り込む。プレス機は高圧同時圧締方式プレスであり、マットは熱プレスされて成板となる。成板された繊維質板は自動取出装置に移され、当板と共に引き出された後当板と分離され調湿機に搬送され調湿して・・・水分による変形のない安定した繊維質板を得ることができる。」（１頁右欄１０行〜２頁左上欄１３行）
（エ）「なお、上記パルプに加え或はパルプに代えて紙を用いても略上記工程により繊維質板を形成することができる。さらにまた紙には故紙を加えて用いることも可能である。」（２頁左上欄１４〜１７行）
　これら（ア）〜（エ）の記載を含む刊行物２全体の記載及び図面の記載並びに当業者の技術常識によれば、刊行物２には、以下の発明が記載されているものと認められる。
　「繊維長の揃ったパルプ等の木質繊維に接着剤を混入してマットを形成し、当該マットを予備圧縮して所定の長さ及び幅に切断した後、高圧同時圧締方式のプレス機により高圧プレスして成板としてなるパチンコ機用遊技盤において、前記パルプに加え或いはパルプに代えて紙を用い、さらには、紙に故紙を加えて用いても形成できるパチンコ機用遊技盤。」（以下、「刊行物２記載の発明」という。）
　　
　　
【３】対比・判断
〔１〕本願発明と刊行物１記載の発明との対比
　刊行物１記載の発明の「外枠２」，「外枠２に正面から見てその左上下に取付けられた蝶番３５を中心に外枠２に対して回動（開閉）可能に保持され」，「前枠３」，「前枠３に取付けられ」，「遊技盤」，「上枠部」，「下枠部」，「左右一対の側枠部」，「前下枠部」，「パチンコ機１」，「外枠２の下部前面２３」，「外枠２の美しい外観を維持するための熱硬化性樹脂板２４」が、本願発明の「外枠（１）」，「外枠（１）の前側に開閉自在に枢着され」，「前枠（２）」，「前枠（２）に装着され」，「遊技盤（７）」，「上枠部（３８）」，「下枠部（３９）」，「左右一対の側枠部（４０）（４１）」，「前下枠部（４２）」，「弾球遊技機」，「前下枠部（４２）の前面」，「化粧シート（４６）」にそれぞれ相当し、
　また、本願発明における「外枠（１）」の成形と、刊行物１記載の発明における「外枠２」の成型とは、それら外枠に用いられる材料の相違により金型が相違すること、即ち、本願発明ではプレス装置の金型（但し、特許請求の範囲に言及されていない。）であるが、刊行物１記載の発明では合成樹脂材料射出成型用の金型であることにおいて相違するものではあるが、ともに「一体に金型成形」するものである点で技術的に共通するから、両者は、
　「外枠と、該外枠の前側に開閉自在に枢着された前枠と、該前枠に装着された遊技盤とを備え、前記外枠は板状の上枠部と下枠部と左右一対の側枠部とを備え、前記一対の側枠部の下端部間の前面側に、該一対の側枠部及び前記下枠部と一体に前下枠部を備えた弾球遊技機において、前記上枠部、前記下枠部、前記各側枠部及び前記前下枠部を一体に金型成形し、前記前下枠部の前面に化粧シートを貼着した弾球遊技機の外枠。」の点で一致し、以下の点で相違する。
＜相違点１＞
　前枠の構造及び遊技盤の装着について、本願発明が、「略中央部に窓孔（４）が設けられた前枠（２）と、前記窓孔（４）に対応して該前枠（２）に着脱自在に装着された遊技盤（７）」であるのに対して、刊行物１記載の発明では、前枠３に窓孔があるのか否か、さらには、窓孔に対応して遊技盤が着脱自在に装着されているのか否か定かでない点。
＜相違点２＞
　外枠の材料及び一体に金型成形することについて、本願発明が、「古紙小片（６２）と接着剤（５０）とを混合して、前記上枠部（３８）、前記下枠部（３９）、前記各側枠部（４０）（４１）及び前記前下枠部（４２）を一体に金型成形」したものであるのに対して、刊行物１記載の発明では、前記上枠部、前記下枠部、前記各側枠部及び前記前下枠部を金型内に合成樹脂材料を射出することにより一体成型したものである点。
　　　　　
〔２〕相違点についての検討
＜相違点１について＞
　刊行物１記載の発明の「前枠３」については、刊行物１の第１図の記載並びに上記【２】〔１〕（イ）の「遊技盤，機構板，操作ハンドル等が取付けられたパチンコ機の前枠」との記載及び上記【２】〔１〕（ウ）の「なお、第１図において、３１は金枠、３２はガラス扉枠、３３は玉受皿、３４は操作ハンドル、３６は前面板、３７は賞品球払出口、３８は打球供給皿であり、すべて前枠３に取付けられている。」との記載を参照すると、「前枠３」の略中央部には「金枠３１」により区画された窓孔が形成され、当該窓孔に「ガラス扉枠３２」及び「前面板３６」が取り付けられ、また、これら「ガラス扉枠３２」及び「前面板３６」の部分に対応して遊技盤が取り付けられているものと一応推認できるところではあるが、本願発明のように、外枠の前側に開閉自在に枢着された前枠について、その略中央部に窓孔が設けられ、当該窓孔に対応して遊技盤が着脱自在に装着されるようにしたものは、例えば、特開平４−３６７６８３号公報（外枠２の前面に開閉自在に蝶着した前枠４に窓孔５が設けられ、当該窓孔５を裏側から囲うようにして中枠６が固着され、当該中枠６に遊技板７が着脱自在に嵌め込まれている。段落【０００７】の記載を参照。），特開平２−５９８４号公報（機枠（３２）の前面に回動自在に取り付けられた前面枠（３３）（窓孔が設けられていることは自明である。）の裏面に額縁状に保持枠（３５）が設けられ、当該保持枠（３５）に遊技盤（３６）或いは遊技盤（３７）が着脱自在に嵌合されている。第１〜４図を参照。），特開平１−２８４２７８号公報（外枠２２の前面に前面枠２が開閉自在に軸支され、当該前面枠２の裏面に開口を囲むようにして遊技盤固定枠２５が固定され、当該遊技盤固定枠２５に遊技盤６が着脱自在に取り付けられている。第１，２図を参照。）等に記載されているように、弾球遊技機の外枠の技術分野では周知の事項にすぎないから、刊行物１記載の発明の前枠の構造及び遊技盤の装着について、弾球遊技機の外枠の技術分野における上記のような周知技術を適用して、本願発明の上記相違点１に係る構成を想到することに、格別の技術的困難性を認めることができない。
＜相違点２について＞
　上記【２】〔１〕（イ）の「発明の背景　・・・このようなパチンコ機の外枠は、従来一般的にはベニヤ合板やラワン材等の木材により製造されてきた。木材が、加工容易なこと、化粧性に優れていること、吸音効果が比較的良いこと等の理由による。ところが、近年木材資源の枯渇によって必要な木材材料の入手が困難になりつつあり、材料費も急騰している。この発明は、このような状況のもとになされたものである。」との記載によれば、刊行物１記載の発明の技術課題は本願発明の技術課題と共通するものであるところ、刊行物２記載の発明には、パチンコ機の構成部材としての遊技盤の材料に故紙を加えた紙を用い、当該紙に接着剤を加えてプレス機により高圧プレスして遊技盤を成形することが示唆されており、しかも、古紙小片と接着剤とを混合した材料を圧縮成形して板状物を得ることは、例えば、特開平５−１７８３７０号公報（シュレッダーで細断・粉砕された古紙に接着剤を混合してシート状に圧縮乾燥した後これをブロック状に切断・破断し、さらに、これに接着剤を混合して型に投入して乾燥させることにより成形品４を得ることが記載されている。），特開平４−２０１４０５号公報（シュレッダー等で裁断された故紙に接着剤を混合して圧縮固化させて板を得ることが記載されている。），実公昭６１−１０９８３号公報（クラツシヤーによつて約５〜２０ｍｍ角程度の大きさとされたダンボール端材の引裂・破砕物２にポリウレタン系の結合剤４を混合して圧縮成型させて構造材を得ることが記載されている。）等に記載されているように、古紙利用の技術分野では周知の事項にすぎず、また、古紙をスラリー状にしたものではあるがこれに接着剤を混合してなる材料をプレス金型により圧縮成形して板状物を得ることも、例えば、特開平４−２８１１００号公報（故紙を水中で離解して形成したスラリーに紙力増強剤（接着剤）を混合してプレス金型により圧縮固化させて板紙を得ることが記載されている。），実願平２−７１１８６号（実開平４−２９７００号）のマイクロフィルム（破砕されて液状化された古紙に結合剤を混合して高圧プレスにより高圧縮成型して繊維板を得ることが記載されている。），特開昭６３−９２７６６号公報（合成樹脂を混合した故紙のスラリーでパルプ材成形板を形成し、これを圧縮整形用の型（下型Ｍ，上型Ｎ）により加圧・加熱することにより合成樹脂を熔融させて高密度整形板を得ることが記載されている。）、その他、特開平２−２６７１４９号公報，特公昭５６−１１５８１号公報等に記載されているように、古紙利用の技術分野では周知の事項にすぎないから、刊行物１記載の発明の外枠の材料及び一体に金型成形することについて、刊行物２記載の発明の技術の存在を前提に、古紙利用の技術分野における上記のような周知技術を適用して、本願発明の上記相違点２に係る構成を想到することに、格別の技術的困難性を認めることができない。
　　　
〔３〕作用効果・判断
　そして、本願発明によって奏する効果も、刊行物１，２記載の発明並びに弾球遊技機の外枠の技術分野及び古紙利用の技術分野における周知技術から普通に予測できる範囲内のものであって格別なものがあるとは認められないから、本願発明は、刊行物１，２記載の発明並びに弾球遊技機の外枠の技術分野及び古紙利用の技術分野における周知技術に基づき当業者が容易に発明をすることができたものといわざるをえない。
　　　　　
　　　　　
【４】むすび
　したがって、本願発明は、刊行物１，２記載の発明並びに弾球遊技機の外枠の技術分野及び古紙利用の技術分野における周知技術に基づき当業者が容易に発明できたものとするのが相当であるから、特許法第２９条第２項の規定により特許を受けることができないものであり、本願は拒絶すべきものである。
　よって、結論のとおり審決する。